(57)【特許請求の範囲】
【請求項１】
鍵の挿入によって回動可能とされる主シリンダと、
このシリンダの回動に伴い受座に向かって出没されるデッドボルトと、
鍵の挿入によって回動可能とされるとともに、前記鍵で施錠位置に回動された際には前記主シリンダの回動を規制し、かつ解錠位置に回動された際には前記主シリンダの回動を許可する回動規制部を有する拘束シリンダと、
前記主シリンダおよび拘束シリンダの回動位置に関係なく、室内側からの操作によって前記デッドボルトを出没可能な室内側操作部と、
を備えて構成されている錠前装置。
【請求項２】
前記室内側操作部は、前記デッドボルトを電気モータによって駆動して出没させる電気錠で構成されている請求項１に記載の錠前装置。
【請求項３】
前記拘束シリンダを施錠位置に付勢する付勢部材を備え、
前記主シリンダが解錠位置にあり、前記拘束シリンダが付勢部材で付勢されて施錠位置にある時に、前記主シリンダのみを施錠位置に回動すると、前記デッドボルトが受座に係合されるとともに、その回動動作に連動して前記拘束シリンダは前記付勢部材の付勢力に抗して解錠位置まで回動された後、前記付勢部材の付勢力によって施錠位置に回動されて施錠され、
前記主シリンダおよび拘束シリンダが施錠位置にある時に、前記拘束シリンダを解錠位置に回動した後、前記主シリンダを解錠位置に回動することで前記デッドボルトが受座から外れて解錠されるように構成されている請求項１または請求項２に記載の錠前装置。
【請求項４】
前記主シリンダおよび拘束シリンダが解錠位置にある時に、前記主シリンダのみを施錠位置に回動すると、前記デッドボルトが受座に係合されて施錠され、
その後、拘束シリンダを施錠位置に回動した場合には、前記拘束シリンダを解錠位置に回動した後、前記主シリンダを解錠位置に回動することで前記デッドボルトが受座から外れて解錠され、
拘束シリンダを施錠位置に回動しなかった場合には、前記主シリンダを解錠位置に回動することで前記デッドボルトが受座から外れて解錠されるように構成されている請求項１または請求項２に記載の錠前装置。
【請求項５】
前記主シリンダおよび拘束シリンダが解錠位置にある時に、前記主シリンダのみを施錠位置に回動すると、前記デッドボルトが受座に係合されて施錠され、
前記拘束シリンダのみを施錠位置に回動すると、その回動動作に連動して主シリンダが施錠位置に回動され、その回動に伴い前記デッドボルトが受座に係合されて施錠され、
主シリンダのみを施錠位置に回動した場合には、前記主シリンダを解錠位置に回動することで前記デッドボルトが受座から外れて解錠され、
拘束シリンダを施錠位置に回動し、その回動動作に連動して主シリンダが施錠位置に回動された場合、および、前記主シリンダを施錠位置に回動した後に、拘束シリンダを施錠位置に回動した場合には、前記拘束シリンダを解錠位置に回動した後、前記主シリンダを解錠位置に回動することで前記デッドボルトが受座から外れて解錠されるように構成されている請求項１または請求項２に記載の錠前装置。
【発明の詳細な説明】
【０００１】
【発明の属する技術分野】
本発明は、ドア等を施解錠する錠前装置に係り、特に不正な解錠操作を効果的に防止させる錠前装置に関する。
【０００２】
【背景技術】
従来より、鍵の挿入による回動可能とされるシリンダと、このシリンダの回動に伴い建具枠に設けられた受座に向かって出没されるデッドボルトとを備えて構成された錠前装置が知られている。
【０００３】
【発明が解決しようとする課題】
前記錠前装置は、各シリンダに対応した鍵を用いて、シリンダ内に配置された複数のピンを押し上げてシリンダの外筒に対して内筒を回動可能に構成されているため、特殊な工具等を用いると時間は掛かるが解錠されてしまうという可能性があった。
【０００４】
このため、１つのドアに対して錠前装置を２つ設け、各錠前装置のシリンダをそれぞれ解錠しなければ、ドアを開くことができないようにすることで防犯性能を高めた建具もある。
【０００５】
しかしながら、このような２つの錠前装置は、それぞれ独立したユニットとして構成されるため、ある程度離して配置しなければならず、そのため、一方の錠前装置のみを施錠し、他方の錠前装置を施錠し忘れることが多く、防犯効果を高め難いという問題があった。
また、錠前装置を室内側から施錠、解錠するサムターン等の室内側操作部も、各錠前装置毎に設けられるため、２つの錠前装置があると各錠前装置を操作しなければならず、操作性が低下するという問題もあった。
さらに、２つの錠前装置を設けた場合には、その分、コストが高くなるとともに、室内側からの施錠、解錠操作を軽減するために、電気錠を組み込む場合にも、各錠前装置にそれぞれ電気錠を組み込まなければならず、コストが嵩むという問題もあった。
【０００６】
本発明の目的は、１つの錠前装置であっても、従来の２つの錠前装置を設けた場合と同等の防犯性能を得ることができるとともに、その防犯性能を容易に維持でき、かつコストも低減できる錠前装置を提供することにある。
【０００７】
本発明の他の目的は、１つの錠前装置であっても、従来の２つの錠前装置を設けた場合と同等の防犯性能を得ることができるとともに、室内側からの施錠、解錠操作の操作性を向上できる錠前装置を提供することにある。
【０００８】
【課題を解決するための手段】
請求項１に記載の錠前装置は、鍵の挿入によって回動可能とされる主シリンダと、このシリンダの回動に伴い建具枠等に設けられた受座に向かって出没されるデッドボルトと、鍵の挿入によって回動可能とされるとともに、前記鍵で施錠位置に回動された際には前記主シリンダの回動を規制し、かつ解錠位置に回動された際には前記主シリンダの回動を許可する回動規制部を有する拘束シリンダと、前記主シリンダおよび拘束シリンダの回動位置に関係なく、室内側からの操作によって前記デッドボルトを出没可能な室内側操作部と、を備えて構成されていることを特徴とする。
【０００９】
本発明においては、錠前装置において、主シリンダの他に、この主シリンダの回動を規制可能な拘束シリンダを設けたので、主シリンダだけではなく、拘束シリンダも施錠位置に回動しておけば、拘束シリンダを解錠位置まで回動させないと主シリンダを解錠状態にすることができない。従って、特殊な工具で不正な解錠操作が行われても、２つのシリンダを共に解錠状態にしなければならないため、１つの錠前装置でありながら、２つの錠前装置を設けた場合と同様に、その解錠操作に時間が掛かり、その分、不正な解錠操作を防止する効果が得られる。
また、２つのシリンダを備えているが、デッドボルトや受座は１つ設ければよいため、１つの錠前装置としてユニット化でき、２つの錠前装置を設けた場合と同等の防犯性能が得られるとともに、コストを大幅に低減できる。さらに、各シリンダを近接配置できるため、従来の離れた位置にそれぞれ錠前装置を設けた場合のように、一方の錠前装置を締め忘れる可能性を低減でき、利用者は拘束シリンダの施錠も確実に行うことができる。
【００１０】
また、前記主シリンダおよび拘束シリンダの回動位置に関係なく、室内側からの操作によって前記デッドボルトを出没可能な室内側操作部を備えているので、室内側からの解錠操作は、従来の１つのシリンダのみの錠前装置と同じであり、非常に簡便である。このため、室外側からの不正な解錠操作に対する防犯性能は、２つの錠前装置を設けた場合と同等である上、従来の２つの錠前装置を設けた場合のように室内側から２カ所で施錠・解錠操作を行う必要が無く、室内側からの施錠・解錠操作を簡単にでき、防犯性能が高く使い勝手のよい錠前装置にすることができる。
【００１１】
なお、本発明の錠前装置は、ドア等の各建具に１つ設けてもよいが、２つ以上設けてもよい。例えば、本発明の錠前装置を２つ設ければ、従来のシリンダが１つの錠前装置を４つ設けた場合と同等の防犯効果が得られるとともに、その場合に比べて、操作性やコストを大幅に低減できる。
さらに、１つの建具に、従来の１つのシリンダを有する錠前装置と、本発明の錠前装置とを組み合わせて設けてもよい。
【００１２】
また、本発明の錠前装置においては、主シリンダの回動や室内側操作部の操作に連動して出没されるデッドボルトを２つ以上設け、建具の複数箇所でロックするように構成してもよい。例えば、主シリンダの配置位置近傍に第１のデッドボルトを設け、このデッドボルトの移動に連動して建具の上端面から建具枠の上枠に設けられた受座に向かって出没する落し錠や、主シリンダと離れた位置に配置される補助ロック等を有するものでもよい。このようなロックが複数設けられていれば、建具がバールなどでこじ開けようとされた場合の耐久強度を向上でき、防犯性能をより向上できる。
【００１３】
さらに、前記室内側操作部は、前記デッドボルトを電気モータによって駆動して出没させる電気錠で構成されていてもよい。
本発明では、前記錠前装置内に電気モータ等を組み込んで電気錠とすることができる。この際、本発明の錠前装置は、従来の２つの錠前装置と同等の防犯性能を有するとともに、２つの錠前装置を設けた場合には電気錠（電気モータ）もそれぞれに設けなければならずコストが高くなるのに対し、本発明では、電気錠も前記１つの錠前装置内に組む込むだけでよいため、コストを低減できる。
【００１４】
錠前装置は、前記拘束シリンダを施錠位置に付勢する付勢部材を備え、前記主シリンダが解錠位置にあり、前記拘束シリンダが付勢部材で付勢されて施錠位置にある時に、前記主シリンダのみを施錠位置に回動すると、前記デッドボルトが受座に係合されるとともに、その回動動作に連動して前記拘束シリンダは前記付勢部材の付勢力に抗して解錠位置まで回動された後、前記付勢部材の付勢力によって施錠位置に回動されて施錠され、前記主シリンダおよび拘束シリンダが施錠位置にある時に、前記拘束シリンダを解錠位置に回動した後、前記主シリンダを解錠位置に回動することで前記デッドボルトが受座から外れて解錠されるように構成されていてもよい。
【００１５】
このような構成の錠前装置によれば、主シリンダのみを施錠位置に回動すれば、拘束シリンダも自動的に連動して施錠位置に回動し、拘束シリンダに鍵を差し込んで施錠位置に回動させる必要がないため、施錠時の操作性を向上できる。
また、拘束シリンダを施錠し忘れることがなく、主シリンダを施錠した場合には、常に拘束シリンダも施錠できるため、高い防犯性能を常に維持することができる。
【００１６】
また、錠前装置としては、前記主シリンダおよび拘束シリンダが解錠位置にある時に、前記主シリンダのみを施錠位置に回動すると、前記デッドボルトが受座に係合されて施錠され、その後、拘束シリンダを施錠位置に回動した場合には、前記拘束シリンダを解錠位置に回動した後、前記主シリンダを解錠位置に回動することで前記デッドボルトが受座から外れて解錠され、拘束シリンダを施錠位置に回動しなかった場合には、前記主シリンダを解錠位置に回動することで前記デッドボルトが受座から外れて解錠されるように構成されているものでもよい。
【００１７】
このような構成の錠前装置によれば、主シリンダのみを施錠位置に回動した際には、解錠操作も主シリンダのみ行えばよく、従来の錠前装置と同様の操作にできる。一方で、主シリンダだけでなく、拘束シリンダも施錠位置に回動した場合には、解錠操作も、拘束シリンダおよび主シリンダの２段階で行わなければならず、防犯性能が高くなる。
従って、短時間の外出等の場合には、従来と同様に主シリンダのみを施錠することで、解錠操作も主シリンダのみの回動でよいため簡単な操作にでき、一方、長時間の外出時等は、拘束シリンダも施錠状態にすることで、より防犯性能を高めることができる。従って、利用者が自らの意志で、主シリンダのみの施錠か、主シリンダおよび拘束シリンダの施錠かを選択でき、状況に応じて施錠状態を選択することができる。その上、主シリンダのみを施錠位置に回動した場合には、同じ主シリンダのみを解錠位置に回動することで解錠され、主シリンダおよび拘束シリンダを順次施錠位置に回動した場合には、同じ拘束シリンダ、主シリンダを順次解錠位置に回動することで解錠でき、施錠時に回動するシリンダと、解錠時に回動するシリンダが一致しているので、利用者にとって施錠操作や解錠操作が把握しやすい錠前装置にできる。
【００１８】
さらに、錠前装置としては、前記主シリンダおよび拘束シリンダが解錠位置にある時に、前記主シリンダのみを施錠位置に回動すると、前記デッドボルトが受座に係合されて施錠され、前記拘束シリンダのみを施錠位置に回動すると、その回動動作に連動して主シリンダが施錠位置に回動され、その回転に伴い前記デッドボルトが受座に係合されて施錠され、主シリンダのみを施錠位置に回動した場合には、前記主シリンダを解錠位置に回動することで前記デッドボルトが受座から外れて解錠され、拘束シリンダを施錠位置に回動し、その回動動作に連動して主シリンダが施錠位置に回動された場合、および、前記主シリンダを施錠位置に回動した後に、拘束シリンダを施錠位置に回動した場合には、前記拘束シリンダを解錠位置に回動した後、前記主シリンダを解錠位置に回動することで前記デッドボルトが受座から外れて解錠されるように構成されているものでよい。
【００１９】
このような構成の錠前装置によれば、主シリンダのみを施錠位置に回動した際には、解錠操作も主シリンダのみ行えばよいため簡単な操作にできる。
また、拘束シリンダを施錠位置に回動した際には、主シリンダも連動して施錠位置に回動させることができる。このため、主シリンダおよび拘束シリンダの両方を施錠状態にする場合に、拘束シリンダのみに鍵を差し込んで回動すればよく、主シリンダは回動させる必要がないため、施錠時の操作性を向上できる。
そして、拘束シリンダを施錠位置に回動し、その回動動作に連動して主シリンダが施錠位置に回動された場合、および、前記主シリンダを施錠位置に回動した後に、拘束シリンダを施錠位置に回動した場合には、解錠操作は、拘束シリンダおよび主シリンダの２段階で行わなければならず、防犯性能が高くなる。
従って、短時間の外出等の場合には、従来と同様に主シリンダのみを施錠することで、解錠操作も主シリンダのみの回動でよく、一方、長時間の外出時等は、拘束シリンダを施錠状態にすることで、自動的に主シリンダも施錠状態になり、防犯性能をより高めることができる。従って、利用者が自らの意志で、主シリンダのみの施錠か、主シリンダおよび拘束シリンダの施錠かを選択でき、状況に応じて施錠状態を選択することができる。
【００２０】
ここで、前記拘束シリンダはＮ個（Ｎは２以上の整数）設けられ、これら第１から第Ｎまでの各拘束シリンダのうち、第１拘束シリンダは、施錠時に前記主シリンダの回動を規制可能に構成され、第２から第Ｎ拘束シリンダは、それぞれ施錠時に第（Ｎ−１）拘束シリンダの回動を規制可能に構成されていてもよい。
【００２１】
このような構成の錠前装置によれば、第１〜Ｎ拘束シリンダのすべてを施錠状態にした場合には、すべての拘束シリンダを順次解錠位置に回動しなければ、主シリンダを解錠することができない。このため、拘束シリンダの数に応じて、不正な手段での解錠操作の時間が掛かることになり、その分、防犯性能をより一層向上することができる。
【００２２】
なお、各拘束シリンダの施錠操作としては、前記主シリンダおよび拘束シリンダとの関係と同様に、各拘束シリンダにそれぞれ鍵を差し込んで個別に施錠位置まで回動させてもよい。また、主シリンダを施錠位置に回動することで、各拘束シリンダが順次自動的に施錠位置に回動するように構成してもよいし、最後の拘束シリンダを施錠位置に回動することで、各拘束シリンダおよび主シリンダが順次自動的に施錠位置に回動するように構成してもよい。
このような各操作が可能な構成を選択すれば、前述したのと同等の作用効果が得られる。
【００２３】
【発明の実施の形態】
以下に、本発明の第１実施形態を図面に基づいて説明する。
本実施形態は、図１に示すような、玄関等のドア１に本発明の錠前装置１０を組み込んだものである。
ドア１は、建物の開口部に固定されたドア枠３と、ドア枠３に対して回動自在に取り付けられたドア本体２とを備えて構成されている。
【００２４】
このドア本体２には、錠前装置１０が組み込まれ、ドア枠３には錠前装置１０から出没されるラッチボルト（図示せず）やデッドボルト２０が係合される受座５が組み込まれている。
【００２５】
錠前装置１０は、図２〜４にも示すように、前記デッドボルト２０と、ドア本体２の室内側の面に取り付けられ、前記デッドボルト２０を出没（出し入れ）して施錠、解錠する室内側操作部としてのサムターン３０と、ドア本体２の室外側に露出されて主鍵４１を挿入することで回動される主シリンダ４０と、この主シリンダ４０に隣接して配置されて副鍵５１を挿入することで回動される拘束シリンダ５０とを備えて構成されている。
【００２６】
前記デッドボルト２０は、角筒材や断面コ字状のチャンネル材で形成され、その側面に形成された長穴２１に、図示しない錠ケースから突設されたガイドピン２２を挿入することなどで、錠ケースに対してスライド移動可能に支持されている。
そして、このスライド移動により、デッドボルト２０の先端部２０Ａは、受座５の受穴に向かって出没可能とされ、前記デッドボルト２０を受穴内に挿入して受座５に係合させることで、ドア本体２は開かないようにロックされる。
【００２７】
前記デッドボルト２０の内側には、サムターン３０の先端部が配置されている。サムターン３０には、前記デッドボルト２０の上面に所定間隔で複数形成された穴２３に係合可能な歯形３１が突設され、サムターン３０を４５度あるいは９０度程度回すことによって前記デッドボルト２０を受座５に向かって出没できるように構成されている。
なお、サムターン３０は、ストップピン３２に歯形３１が当接することで、９０度以上は回動しないように構成されている。
【００２８】
前記デッドボルト２０の下側には、主シリンダ４０および拘束シリンダ５０が順次配置されている。
主シリンダ４０は、サムターン３０と同様に、前記デッドボルト２０の下面に所定間隔で複数形成された穴２３に係合可能な歯形４２Ａが突設され、主シリンダ４０を４５度あるいは９０度程度回すことによって前記デッドボルト２０を受座５に向かって出没できるように構成されている。
【００２９】
この主シリンダ４０は、内筒４２および図示しない外筒を備え、そのシリンダ４０に対応した鍵４１を内筒４２内の鍵穴に差し込むことで、内筒４２を外筒に対して回動自在にすることができるように構成されている。
【００３０】
また、内筒４２には、図５にも示すように、鍵４１を差し込んだ時には、内筒４２と一体的に回動され、鍵４１を差し込んでいない状態では、自由に回動できる係止部材４５が設けられている。
この係止部材４５は、一部が内筒４２の外周側に突出されており、この突出部４５Ａの自重によって、鍵４１が鍵穴に差し込まれていない状態では、突出部４５Ａが重力方向つまり下方に向かうような位置に配置される。
【００３１】
拘束シリンダ５０は、主シリンダ４０と同様に、内筒５２および図示しない外筒を備え、そのシリンダ５０に対応した鍵５１を内筒５２内の鍵穴に差し込むことで、内筒５２を外筒に対して回動自在にすることができるように構成されている。
また、内筒５２には、前記係止部材４５に係合可能な回動規制部５３が一体に形成されている。
【００３２】
この拘束シリンダ５０は、前記回動規制部５３に当接される付勢部材であるバネ５４によって図３，４中反時計回りの方向に常時付勢され、停止ピン５５に前記回動規制部５３が当たる位置で停止されるようになっている。
【００３３】
次に、このような構成の錠前装置１０における施錠操作および解錠操作について、図３〜７を参照して説明する。
［施錠操作］
図３（Ａ）に示す解錠状態では、サムターン３０および主シリンダ４０は、前記デッドボルト２０がドア本体２内に納められて受座５から外された解錠位置に回動されている。また、前記係止部材４５は、自重により突出部４５Ａが下方に向いた位置に配置されている。
一方、拘束シリンダ５０は、バネ５４によって停止ピン５５に当接する位置に配置されている。
【００３４】
この解錠状態から、主シリンダ４０に鍵４１を差し込んで、図３（Ｂ）および図４（Ｃ）に示すように、反時計回り方向（矢印Ａ方向）に回すと、前記デッドボルト２０が図中左側に移動し、その先端が受座５に係合する施錠位置に回動される。
この際、内筒４２に鍵４１が差し込まれていることから、前記係止部材４５は内筒４２と一体的に矢印Ａ方向に回動する。そして、前記係止部材４５の突出部４５Ａは、拘束シリンダ５０の回動規制部５３に当接し、図３（Ｂ）に示すように、バネ５４の付勢力に抗して拘束シリンダ５０を図中矢印Ｂ方向（時計回り方向）に回動し、解錠位置まで回動させる。
【００３５】
さらに、主シリンダ４０を９０度回すと、図４（Ｃ）に示すように、前記係止部材４５はさらに矢印Ａ方向に回動し、突出部４５Ａは、回動規制部５３から外れてその上側まで移動する。すると、拘束シリンダ５０は、バネ５４の付勢力で回動規制部５３が停止ピン５５に当接する位置（施錠位置）に自動的に戻る。
【００３６】
その後、鍵４１を抜くと、図４（Ｄ）に示すように、前記係止部材４５は、自重により下方に移動し、突出部４５Ａが回動規制部５３に当接した位置で停止する。
これにより、錠前装置１０は、施錠状態になる。
【００３７】
なお、サムターン３０は、前記デッドボルト２０のスライド移動に伴い、施錠位置まで矢印Ａ方向に回動する。
【００３８】
ここで、鍵４１もしくは特殊な工具によって、主シリンダ４０の内筒４２を図４（Ｄ）中に示す矢印Ｂ方向（図中時計回り方向）に回動して解錠しようとしても、鍵穴内に鍵４１や工具が差し込まれた状態では内筒４２と一体で回動する前記係止部材４５の突出部４５Ａが拘束シリンダ５０の回動規制部５３に当接するため、回動できない。これにより、主シリンダ４０のみを特殊工具で解錠することはできないことになる。
【００３９】
［解錠操作]
図６（Ａ）の施錠状態（図４（Ｄ）と同じ状態）から解錠するには、まず、拘束シリンダ５０の内筒５２に鍵５１を差し込んで、図６（Ｂ）に示すように、バネ５４の付勢力に抗して図中矢印Ｂ方向に回動する。すると、回動規制部５３で係止されていた前記係止部材４５は自重により下方に移動し、突出部４５Ａが下向きになる位置で停止する。
【００４０】
これにより、鍵５１を抜いて回動規制部５３をバネ５４で付勢し、回動規制部５３が停止ピン５５に当接する位置つまり施錠位置まで拘束シリンダ５０を回動しても、前記突出部４５Ａは回動規制部５３の図中左側に配置されることになる。
この状態で、図７（Ｃ）に示すように、主シリンダ４０の内筒４２に鍵４１を差し込み、内筒４２を解錠位置まで矢印Ｂ方向に回動しても、前記係止部材４５の突出部４５Ａは回動規制部５３に妨げられることがなく、主シリンダ４０の回動が許容される。
これにより、前記デッドボルト２０はドア本体２内に納められて受座５から外れ、解錠状態になる。また、前記デッドボルト２０の移動に伴い、サムターン３０も解錠位置に回動する。
【００４１】
その後、鍵４１を外すと、図７（Ｄ）に示すように、前記係止部材４５が自重により突出部４５Ａが下向きとなる位置に戻り、これにより図３（Ａ）と同じ解錠状態に戻る。
【００４２】
［室内側からの解錠・施錠操作］
室内側からサムターン３０を解錠位置および施錠位置間で回動した場合、前記デッドボルト２０も連動してスライド移動する。そして、主シリンダ４０も前記デッドボルト２０の移動に伴い解錠位置および施錠位置間で回動する。
この際、主シリンダ４０には鍵４１が差し込まれていないため、主シリンダ４０は前記係止部材４５に対して自由に回動することができる。従って、前記係止部材４５の突出部４５Ａがどの位置にあっても、つまり回動規制部５３で係止されている位置にあっても、内筒４２は自由に回動できる。このため、サムターン３０は、主シリンダ４０や拘束シリンダ５０の位置に関係なく操作でき、前記デッドボルト２０の解錠操作、施錠操作が行われる。
【００４３】
なお、鍵４１，５１は、通常は別々の鍵を使用するが、本実施形態では、各シリンダ４０，５０に各鍵４１，５１を同時に差し込む必要がないため、これらの鍵４１，５１を同一の１本の鍵で兼用してもよい。
【００４４】
このような本実施形態によれば、次のような効果がある。
（１）主シリンダ４０の他に、この主シリンダ４０の回動を規制可能な拘束シリンダ５０を設けたので、主シリンダ４０および拘束シリンダ５０を施錠状態にすれば、拘束シリンダ５０を解錠位置まで回動させない限り、主シリンダ４０を解錠状態にすることができない。従って、特殊な工具で不正な解錠操作が行われても、２つのシリンダ４０，５０を共に解錠状態にしなければならないため、１つの錠前装置１０でありながら、２つの錠前装置を設けた場合と同様に、その解錠操作に時間が掛かり、その分、不正な解錠操作を防止することができ、２つの錠前装置を設けた場合と同等の防犯性能を得ることができる。
【００４５】
（２）また、錠前装置１０は、機構的には拘束シリンダ５０が増えた程度であるため、１つの錠前装置１０として容易にユニット化することができる。このため、２つの錠前装置を設けた場合と同等の防犯性能が得られるのに対し、コストは２つの錠前装置を設ける場合に比べて大幅に低減でき、安価でかつ防犯性能の高い錠前装置１０とすることができる。
【００４６】
（３）各シリンダ４０，５０を近接配置しているので、解錠操作時に拘束シリンダ５０および主シリンダ４０を容易にかつ確実に操作でき、２つの鍵４１，５１で解錠操作を行う場合でも操作性を損なうことがない。
【００４７】
（４）主シリンダ４０、拘束シリンダ５０の状態に関わらず、サムターン３０を操作すれば、前記デッドボルト２０を出没させて解錠、施錠操作を行うことができるため、室内側からの解錠操作は、従来の１つのシリンダのみの錠前装置と同じであり、非常に簡便である。このため、室外側からの不正な解錠操作に対する防犯性能は２つの錠前装置を設けた場合と同等でありながら、室内側からは１カ所で施錠・解錠操作を行うことができ、防犯性能が高く使い勝手のよい錠前装置にすることができる。
【００４８】
（５）主シリンダ４０のみを施錠位置に回動すれば、拘束シリンダ５０はバネ５４の付勢力で自動的に施錠位置に戻るため、拘束シリンダ５０に鍵５１を差し込んで施錠位置に回動させる必要がなく、施錠時の操作性を向上できるとともに、主シリンダ４０を施錠すれば必ず拘束シリンダ５０も施錠できるため、高い防犯性能を常に維持することができる。
【００４９】
（６）係止部材４５を内筒４２に対して自由に回動可能とし、かつその一部に突出部４５Ａを設けて、係止部材４５が突出部４５Ａが下方を向く位置に戻れるように構成しているので、図６（Ａ）に示す主シリンダ４０の回転を規制している状態から、図６（Ｂ）に示す主シリンダ４０の回転を許可する状態に移行する際には、鍵５１を差し込んで拘束シリンダ５０を矢印Ｂ方向に僅かに回動するだけでよく、解錠時においても操作性を非常に向上することができる。
【００５０】
次に、本発明の第２実施形態について説明する。なお、前記第１実施形態と同様な構成部材には同一符号を付し、説明を省略または簡略化する。
本実施形態の錠前装置１００は、図８（Ａ）に示すように、前記第１実施形態の錠前装置１０と同じデッドボルト２０、サムターン３０、主シリンダ４０、拘束シリンダ５０が用いられている。但し、拘束シリンダ５０の回動規制部５３を付勢するバネ５４は設けられていない。また、拘束シリンダ５０は、鍵５１を差し込んで回動させた際に、ストップピン５６，５７によって解錠位置および施錠位置で停止されるように構成されている。
【００５１】
次に、このような構成の錠前装置１００における施錠操作および解錠操作について、図８〜１１を参照して説明する。
［施錠操作］
図８（Ａ）に示す解錠状態では、サムターン３０および主シリンダ４０は、前記デッドボルト２０がドア本体２内に納められて受座５から外された解錠位置に回動されている。また、前記係止部材４５は、自重により突出部４５Ａが下方に向いた位置に配置されている。
拘束シリンダ５０も、ストップピン５６に当接する解錠位置に回動されている。
【００５２】
この解錠状態から、主シリンダ４０に鍵４１を差し込んで、図８（Ｂ）に示すように、反時計回り方向（矢印Ａ方向）に９０度回すと、前記デッドボルト２０が図中左側に移動し、その先端が受座５に係合する施錠位置に回動される。
この際、内筒４２に鍵４１が差し込まれていることから、前記係止部材４５は内筒４２と一体的に矢印Ａ方向に９０度回動する。
【００５３】
この鍵４１を９０度回動した位置に差し込んだ状態のままで、鍵５１を差し込んで、図９（Ｃ）に示すように、拘束シリンダ５０を矢印Ａ方向に９０度回し、回動規制部５３がストップピン５７に当接する施錠位置に回動する。
その後、各鍵４１，５１を抜くと、図９（Ｄ）に示すように、前記係止部材４５の突出部４５Ａは自重により下方に移動し、これにより、錠前装置１００は、施錠状態になる。
【００５４】
なお、サムターン３０は、前記デッドボルト２０のスライド移動に伴い、施錠位置まで矢印Ａ方向に回動する。
【００５５】
ここで、鍵４１もしくは特殊な工具によって、主シリンダ４０の内筒４２を図中時計回り方向に回動して解錠しようとしても、鍵穴内に鍵４１や工具が差し込まれた状態では内筒４２と一体で回動する前記係止部材４５の突出部４５Ａが拘束シリンダ５０の回動規制部５３に当接するため、回動できない。これにより、主シリンダ４０のみを特殊工具で解錠することはできないことになる。
【００５６】
［解錠操作]
図１０（Ａ）の施錠状態（図９（Ｄ）と同じ状態）から解錠するには、まず、拘束シリンダ５０の内筒５２に鍵５１を差し込んで、図１０（Ｂ）に示すように、図中矢印Ｂ方向に回動する。すると、鍵４１を差し込んでいない状態では自由に回動可能な前記係止部材４５は、回動規制部５３によって図中矢印Ａ方向に回動して逃げ、拘束シリンダ５０は回動規制部５３がストップピン５６に当接する解錠位置まで回動する。
【００５７】
拘束シリンダ５０が解錠位置まで移動すると、図１１（Ｃ）に示すように、前記係止部材４５は自重により下方に移動し、突出部４５Ａが下向きになる位置で停止する。
【００５８】
これにより、前記係止部材４５の突出部４５Ａは回動規制部５３の図中左側に移動しているため、主シリンダ４０の内筒４２に鍵４１を差し込み、図１１（Ｄ）に示すように、内筒４２を解錠位置まで矢印Ｂ方向に回動しても、前記係止部材４５の突出部４５Ａは回動規制部５３に妨げられることがなく、主シリンダ４０の回動が許容される。
これにより、前記デッドボルト２０はドア本体２内に納められて受座５から外れ、解錠状態になる。また、前記デッドボルト２０の移動に伴い、サムターン３０も解錠位置に回動する。
【００５９】
その後、鍵４１を外すと、前記係止部材４５が自重により突出部４５Ａが下向きとなる位置に戻り、これにより図８（Ａ）と同じ解錠状態に戻る。
【００６０】
［主シリンダのみでの解錠・施錠操作］
なお、拘束シリンダ５０が解錠位置に配置されている場合には、鍵４１を差し込んで主シリンダ４０のみを回動することで、図８（Ａ），（Ｂ）の手順で施錠操作が行われ、図１１（Ｃ），（Ｄ）の手順で解錠操作が行われる。
【００６１】
［室内側からの解錠・施錠操作］
室内側からサムターン３０を解錠位置および施錠位置間で回動した場合、前記デッドボルト２０も連動してスライド移動する。そして、主シリンダ４０も前記デッドボルト２０の移動に伴い解錠位置および施錠位置間で回動する。
この際、主シリンダ４０には鍵４１が差し込まれていないため、主シリンダ４０は前記係止部材４５に対して自由に回動することができる。従って、前記係止部材４５の突出部４５Ａがどの位置にあっても、つまり回動規制部５３で係止されている位置にあっても、内筒４２は自由に回動できる。このため、サムターン３０は、主シリンダ４０や拘束シリンダ５０の位置に関係なく操作でき、前記デッドボルト２０の解錠操作、施錠操作が行われる。
【００６２】
このような本実施形態によれば、前記第１実施形態の（１）〜（４）と同じ作用効果が得られる上、次のような効果がある。
【００６３】
（７）主シリンダ４０のみを施錠位置に回動することもでき、また、主シリンダ４０だけでなく、拘束シリンダ５０も施錠位置に回動することもできるため、短時間の外出等の場合には主シリンダ４０のみで施錠し、長時間の外出時等は、拘束シリンダ５０も施錠状態にするといったように、利用者が自らの意志で、主シリンダ４０のみの施錠か、主シリンダ４０および拘束シリンダ５０の施錠かを選択でき、状況に応じて施錠状態を選択できて使い勝手のよい錠前装置１００とすることができる。
【００６４】
（８）その上、主シリンダ４０のみを施錠位置に回動した場合には、同じ主シリンダ４０のみを解錠位置に回動することで解錠され、主シリンダ４０および拘束シリンダ５０を順次施錠位置に回動した場合には、同じ拘束シリンダ５０、主シリンダ４０を順次解錠位置に回動することで解錠でき、施錠時に回動するシリンダ４０，５０と、解錠時に回動するシリンダ４０，５０が一致しているので、利用者にとって施錠操作や解錠操作が把握しやすい錠前装置１００にできる。
【００６５】
（９）係止部材４５を内筒４２に対して自由に回動可能とし、かつその一部に突出部４５Ａを設けて、係止部材４５が突出部４５Ａが下方を向く位置に戻れるように構成しているので、図１０（Ａ）に示す主シリンダ４０の回転を規制している状態から、図１０（Ｂ）および図１１（Ｃ）に示す主シリンダ４０の回転を許可する状態に移行する際には、鍵５１を差し込んで拘束シリンダ５０のみを矢印Ｂ方向に解錠位置まで回動するだけでよく、解錠時の操作性を向上することができる。
【００６６】
次に、本発明の第３実施形態について説明する。本実施形態においても、前記第１，２実施形態と同様な構成部材には同一符号を付し、説明を省略または簡略化する。
本実施形態の錠前装置２００は、図１２（Ａ）に示すように、前記第１実施形態の錠前装置１０と同じデッドボルト２０、サムターン３０が用いられている。
また、主シリンダ４０および拘束シリンダ５０は、歯形４２Ａ、係止部材４５等の構成は同一であるが、新たに、各シリンダ４０，５０間を連動させる連動バー２０１が設けられている点と、拘束シリンダ５０の回動規制部５３の端面が斜めに形成されかつこの回動規制部５３が内筒５２内に配置された付勢部材であるバネ２０２によって外側（突出方向）に付勢されている点が相違する。
【００６７】
連動バー２０１の一端は、主シリンダ４０の内筒４２に対して回動自在に取り付けられている。また、連動バー２０１の他端は、拘束シリンダ５０の内筒５２の外周に沿って形成された円弧状の溝５２Ｂ内に挿入され、溝５２Ｂ内をスライド移動可能に取り付けられている。
【００６８】
次に、このような構成の錠前装置２００における施錠操作および解錠操作について、図１２〜１５を参照して説明する。
［施錠操作］
図１２（Ａ）に示す解錠状態では、サムターン３０および主シリンダ４０は、前記デッドボルト２０がドア本体２内に納められて受座５から外された解錠位置に回動されている。また、前記係止部材４５は、自重により突出部４５Ａが下方に向いた位置に配置されている。
拘束シリンダ５０も、ストップピン５６に当接する解錠位置に回動されている。また、この際、前記連動バー２０１は、溝５２Ｂの主シリンダ４０側に近い端部に配置されるように、前記連動バー２０１の内筒４２に対する取付位置や長さ、溝５２Ｂの形成位置および長さが設定されている。
【００６９】
この解錠状態から、拘束シリンダ５０に鍵５１を差し込んで、図１２（Ｂ）に示すように、図中反時計回り方向（矢印Ａ方向）に回すと、前記連動バー２０１によって引っ張られて主シリンダ４０も矢印Ａ方向に回動する。
【００７０】
主シリンダ４０が回動した際、内筒４２には鍵４１が差し込まれていないため、前記係止部材４５は回動せずに下方に向いたままである。このため、鍵５１によって拘束シリンダ５０を解錠位置から施錠位置まで回動させると、回動規制部５３が前記係止部材４５の突出部４５Ａに衝突する。この際、前記係止部材４５は、内筒４２に設けられたストップピン等によって所定位置以上は矢印Ａ方向に回動できないようにされているため、それ以上拘束シリンダ５０を回動させると、回動規制部５３はその傾斜された端面が係止部材４５の突出部４５Ａに当接することで、バネ２０２の付勢力に抗して内筒５２内に没せられる。
【００７１】
そして、図１３（Ｃ）に示すように、拘束シリンダ５０を施錠位置まで矢印Ａ方向に回動すると、回動規制部５３は係止部材４５の左側に配置される。また、この回転に伴い、主シリンダ４０が回動し、前記デッドボルト２０が図中左側に移動し、その先端が受座５に係合する施錠位置に回動される。これにより、錠前装置２００は施錠状態になる。
【００７２】
なお、サムターン３０は、前記デッドボルト２０のスライド移動に伴い、施錠位置まで矢印Ａ方向に回動する。
【００７３】
ここで、鍵４１もしくは特殊な工具によって、主シリンダ４０の内筒４２を図中時計回り方向に回動して解錠しようとしても、鍵穴内に鍵４１や工具が差し込まれた状態では内筒４２と一体で回動する前記係止部材４５の突出部４５Ａが拘束シリンダ５０の回動規制部５３の側面に当接するため、回動できない。これにより、主シリンダ４０のみを特殊工具で解錠することはできないことになる。
【００７４】
［解錠操作]
図１４（Ａ）の施錠状態（図１３（Ｃ）と同じ状態）から解錠するには、まず、拘束シリンダ５０の内筒５２に鍵５１を差し込んで、図１４（Ｂ）に示すように、図中矢印Ｂ方向に回動する。すると、鍵４１を差し込んでいない状態では自由に回動可能な前記係止部材４５は、回動規制部５３によって図中矢印Ａ方向に回動して逃げ、図１５（Ｃ）に示すように、拘束シリンダ５０は回動規制部５３がストップピン５６に当接する解錠位置まで回動する。
【００７５】
拘束シリンダ５０が解錠位置まで移動すると、前記係止部材４５は自重により下方に移動し、突出部４５Ａが下向きになる位置で停止する。
【００７６】
これにより、前記係止部材４５の突出部４５Ａは回動規制部５３の図中左側に移動しているため、主シリンダ４０の内筒４２に鍵４１を差し込み、図１５（Ｄ）に示すように、内筒４２を解錠位置まで矢印Ｂ方向に回動しても、前記係止部材４５の突出部４５Ａは回動規制部５３に妨げられることがなく、主シリンダ４０の回動が許容される。
これにより、前記デッドボルト２０はドア本体２内に納められて受座５から外れ、解錠状態になる。また、前記デッドボルト２０の移動に伴い、サムターン３０も解錠位置に回動する。
【００７７】
その後、鍵４１を外すと、前記係止部材４５が自重により突出部４５Ａが下向きとなる位置に戻り、これにより図１２（Ａ）と同じ解錠状態に戻る。
【００７８】
［主シリンダのみでの解錠・施錠操作］
なお、拘束シリンダ５０が解錠位置に配置されている場合には、鍵４１を差し込んで主シリンダ４０のみを回動することで、施錠操作および解錠操作が行われる。
【００７９】
［主シリンダ、拘束シリンダの順序での施錠操作］
また、図１２（Ａ）に示す解錠状態から、まず主シリンダ４０のみを施錠した後（図１５（Ａ）の状態にした後）、拘束シリンダ５０を施錠して図１３（Ｃ）の施錠状態にしてもよい。主シリンダ４０を施錠した後に、拘束シリンダ５０を施錠する場合も、突出部４５Ａは下方に向かって配置されているので、突出部４５Ａに回動規制部５３の傾斜面が当接して押され、回動規制部５３は突出部４５Ａを越えて突出部４５Ａの図中左側に配置される。
なお、解錠操作は、図１４（Ａ）〜図１５（Ｄ）と同一である。
【００８０】
［室内側からの解錠・施錠操作］
室内側からサムターン３０を解錠位置および施錠位置間で回動した場合、前記デッドボルト２０も連動してスライド移動する。そして、主シリンダ４０も前記デッドボルト２０の移動に伴い解錠位置および施錠位置間で回動する。
この際、主シリンダ４０には鍵４１が差し込まれていないため、主シリンダ４０は前記係止部材４５に対して自由に回動することができる。従って、前記係止部材４５の突出部４５Ａがどの位置にあっても、つまり回動規制部５３で係止されている位置にあっても、内筒４２は自由に回動できる。このため、サムターン３０は、主シリンダ４０や拘束シリンダ５０の位置に関係なく操作でき、前記デッドボルト２０の解錠操作、施錠操作が行われる。
【００８１】
なお、本実施形態においても、第１実施形態と同様に、各シリンダ４０，５０に各鍵４１，５１を同時に差し込む必要がないため、これらの鍵４１，５１を同一の１本の鍵で兼用してもよい。
【００８２】
このような本実施形態によれば、前記第１，２実施形態の（１）〜（４），（７）、（９）と同じ作用効果が得られる上、次のような効果がある。
【００８３】
（10）拘束シリンダ５０を施錠位置に回動した際には、主シリンダ４０も連動して施錠位置に回動させることができる。このため、主シリンダ４０および拘束シリンダ５０の両方を施錠状態にする場合に、拘束シリンダ５０のみに鍵５１を差し込んで回動すればよく、主シリンダ４０は回動させる必要がないため、施錠時の操作性を向上できる。
【００８４】
（11）施錠操作として、拘束シリンダ５０のみを施錠位置まで回動（主シリンダ４０は連動して自動的に施錠位置まで回動）、主シリンダ４０のみを施錠位置まで回動、主シリンダ４０を施錠位置まで回動した後に拘束シリンダ５０を施錠位置まで回動の３種類の方法が利用できるため、施錠操作の幅が広がり、利用者にとって操作しやすい方法を自由に選択することができるため、施錠時の操作性をより向上できる。
【００８５】
なお、本発明は、前述の実施形態に限定されない。
すなわち、前記デッドボルト２０、サムターン３０、主シリンダ４０および拘束シリンダ５０としては前記構造のものに限定されない。
例えば、拘束シリンダ５０としては、回動規制部５３が内筒５２から突設されたものに限らず、図１６に示すように、鍵５１によって回動されかつ外周部の一部もしくは全周に歯形５２２が形成されてピニオンとして機能する内筒５２０と、この内筒５２０の歯形５２２に螺合する回動規制部としてのラック５２３とを備えたもので構成してもよい。
【００８６】
このような拘束シリンダ５０を用いた場合も、図１６（Ａ）に示すように、内筒５２０を施錠位置に回動すると、その回動に伴いラック５２３が主シリンダ４０側に向かって移動し、主シリンダ４０の前記係止部材４５の左側の位置に配置される。これにより、主シリンダ４０のみを鍵４１で解錠しようとしても、前記係止部材４５が回動規制部であるラック５２３に当接するため、主シリンダ４０の回動が規制されて解錠することができない。
【００８７】
一方、図１６（Ｂ）に示すように、拘束シリンダ５０の内筒５２０を鍵５１によって解錠位置に回動すれば、ラック５２３が下方にスライド移動するため、主シリンダ４０の回動が許可され、解錠操作が可能となる。
【００８８】
また、図１７に示すように、拘束シリンダ５０を断面扇形のプレート状に形成し、その凹部５３０に主シリンダ４０の係止部材４５を配置し、図１７（Ａ）に示すように、凹部５３０の一辺が係止部材４５の図中左側面に当接する施錠位置と、図１７（Ｂ）に示すように、拘束シリンダ５０を回動して係止部材４５が矢印Ａ方向に回動する際にその軌跡上に拘束シリンダ５０が配置されない解錠位置とに回動するように構成してもよい。
【００８９】
この際、施錠位置および解錠位置の２カ所で拘束シリンダ５０の位置が規制されるように、ピン５４１が突設された板バネ５４０と、拘束シリンダ５０の２カ所の位置に形成されて前記ピン５４１が係合する穴５３１とを設けてもよい。なお、この板バネ５４０は、拘束シリンダ５０を強く回すことで前記ピン５４１を穴５３１から外してもよいが、拘束シリンダ５０を回動させる鍵５１を差し込んだ際に、その先端が鍵穴５３２から突出して前記板バネ５４０に当接し、これを押し上げて前記ピン５４１が穴５３１から外れるように構成してもよい。
【００９０】
さらに、主シリンダ４０および拘束シリンダ５０としては、図１８に示すようなものでもよい。すなわち、主シリンダ４０の一部分を断面扇形となるように構成し、拘束シリンダ５０の回動規制部５３がその凹部４３０に配置されるように構成し、図１８（Ａ）に示すように、拘束シリンダ５０が主シリンダ４０の凹部４３０の図中右面に当接する施錠位置と、図１８（Ｂ）に示すように、拘束シリンダ５０の回動規制部５３が主シリンダ４０の軌跡上からずれた位置に移動する解錠位置とで切り替わるように構成してもよい。
なお、この場合も、前記拘束シリンダ５０が２位置で規制されるように、前記拘束シリンダ５０に凹部５５０を形成し、この凹部５５０に嵌合するボール５５１やピンをバネ５５２で付勢するようにしてもよい。
【００９１】
要するに、主シリンダ４０および拘束シリンダ５０は、拘束シリンダ５０が施錠位置にあるときは、主シリンダ４０の解錠操作が行えないようにその回動を規制し、解錠位置にあるときには、主シリンダ４０の解錠操作が行えるように構成されていればよく、その具体的な構造は実施にあたって適宜設定すればよい。
【００９２】
また、錠前装置１０，１００，２００としては、前記デッドボルト２０の他に、前記デッドボルト２０のスライド移動に連動して上下にスライド移動する連動棒を配置し、その連動棒の上端をドア枠３の上枠に設けられた受座に係合する上ロックとし、連動棒の下端を前記連動棒が上側に移動した際にドア枠３の受座側に突出される鎌錠式等の補助ロックとし、前記デッドボルト２０のロックと合わせて３重のロックが掛かるように構成してもよい。また、上ロックや補助ロックの一方のみを設けて２重のロックが掛かるように構成してもよい。
このように複数のロックを設ければ、その分、こじ開け等に対する耐久性が高まり、建具等の防犯性能をより向上できる。
【００９３】
また、各錠前装置１０，１００，２００は、室内側からは１つのサムターン３０のみで施錠、解錠の両方が操作できるので、サムターン３０の代わりあるいはサムターン３０とともに電気モータ等を組み込むことで電気錠としてもよい。特に、本発明の錠前装置においては、電気錠も１つ設ければよいため、容易にかつ低コストで電気錠にすることができる。
【００９４】
また、前記各実施形態では、各拘束シリンダ５０は、それぞれ１つずつ設けられていたが、図１９に示すように、２つ以上（第１〜第Ｎ拘束シリンダ５０、ここでＮは２以上の整数）設けてもよい。
これら第１〜第Ｎの拘束シリンダ５０のうち、第１拘束シリンダ５０は、施錠時に前記主シリンダ４０の回動を規制可能に構成され、第２〜第Ｎ拘束シリンダ５０は、それぞれ施錠時に第（Ｎ−１）拘束シリンダ５０の回動を規制可能に構成されていればよい。
【００９５】
なお、各拘束シリンダの具体的な構成としては、例えば、図１９に示すように、少なくとも第１〜第Ｎ−１の拘束シリンダ５０には、前記主シリンダ４０と同様に、突出部４５Ａを有する係止部材４５を設け、第１〜第Ｎの拘束シリンダに、前記拘束シリンダ５０と同様な回動規制部５３を設ければよい。
そして、各拘束シリンダ５０の施錠操作としては、前記主シリンダ４０および拘束シリンダ５０の関係と同様に、各拘束シリンダ５０にそれぞれ鍵を差し込んで個別に施錠位置まで回動させてもよい。また、主シリンダ４０を施錠位置に回動することで、各拘束シリンダ５０が順次自動的に施錠位置に回動するように構成してもよいし、最後の拘束シリンダ５０を施錠位置に回動することで、各拘束シリンダ５０および主シリンダ４０が順次自動的に施錠位置に回動するように構成してもよい。
【００９６】
このような構成の錠前装置によれば、第１〜Ｎ拘束シリンダ５０のすべてを施錠状態にした場合（図１９で回動規制部５３が実線の位置）には、すべての拘束シリンダ５０を矢印Ｂ方向に回動して順次解錠位置（図１９で回動規制部５３が２点鎖線の位置）に移動しなければ、主シリンダ４０を解錠することができない。このため、拘束シリンダ５０の数に応じて、不正な手段での解錠操作の時間が掛かることになり、その分、防犯性能をより一層向上することができる。
【００９７】
また、本発明は、ドアに設けられる錠前装置に限らず、ドア以外の各種建具や、ロッカー、金庫等の開閉扉を有するものに設けられる各種の錠前装置にも適用することができる。
【００９８】
【発明の効果】
このような本発明の錠前装置によれば、１つの錠前装置であっても、従来の２つの錠前装置を設けた場合と同等の防犯性能を得ることができるとともに、その防犯性能を容易に維持でき、かつコストも低減できる。
【００９９】
また、室内側操作部を備えた錠前装置によれば、１つの錠前装置であっても、従来の２つの錠前装置を設けた場合と同等の防犯性能を得ることができるとともに、室内側からの施錠、解錠操作の操作性を向上できる。
【図面の簡単な説明】
【図１】本発明の錠前装置が適用されたドアを示す模式図である。
【図２】図１のドアに組み込まれた錠前装置を示す模式図である。
【図３】本発明の第１実施形態における施錠操作を示す動作説明図である。
【図４】図３の続きの施錠操作を示す動作説明図である。
【図５】第１実施形態における主シリンダを示す斜視図である。
【図６】第１実施形態における解錠操作を示す動作説明図である。
【図７】図６の続きの解錠操作を示す動作説明図である。
【図８】本発明の第２実施形態における施錠操作を示す動作説明図である。
【図９】図８の続きの施錠操作を示す動作説明図である。
【図１０】第２実施形態における解錠操作を示す動作説明図である。
【図１１】図１０の続きの解錠操作を示す動作説明図である。
【図１２】本発明の第３実施形態における施錠操作を示す動作説明図である。
【図１３】図１２の続きの施錠操作を示す動作説明図である。
【図１４】第３実施形態における解錠操作を示す動作説明図である。
【図１５】図１４の続きの解錠操作を示す動作説明図である。
【図１６】本発明の拘束シリンダの変形例を示す動作説明図である。
【図１７】本発明の拘束シリンダの他の変形例を示す動作説明図である。
【図１８】本発明の主シリンダおよび拘束シリンダの他の変形例を示す動作説明図である。
【図１９】本発明の拘束シリンダの他の変形例を示す模式図である。
【符号の説明】
１…ドア、２…ドア本体、３…ドア枠、５…受座、１０，１００，２００…錠前装置、２０…デッドボルト、２２…ガイドピン、３０…室内側操作部であるサムターン、４０…主シリンダ、４１…主鍵、４２…内筒、４２Ａ…歯形、４５…係止部材、４５Ａ…突出部、５０…拘束シリンダ、５１…副鍵、５２…内筒、５２Ｂ…溝、５３…回動規制部、５４…バネ、５５…停止ピン、５６，５７…ストップピン、２０１…連動バー、２０２…バネ、４３０…凹部、５２０…内筒、５２２…歯形、５２３…ラック、５３０…凹部、５３１…穴、５３２…鍵穴、５４０…板バネ、５４１…ピン、５５０…凹部、５５１…ボール、５５２…バネ。
【図１】
0003927743.tif 000002
【図２】
0003927743.tif 000003
【図３】
0003927743.tif 000004
【図４】
0003927743.tif 000005
【図５】
0003927743.tif 000006
【図６】
0003927743.tif 000007
【図７】
0003927743.tif 000008
【図８】
0003927743.tif 000009
【図９】
0003927743.tif 000010
【図１０】
0003927743.tif 000011
【図１１】
0003927743.tif 000012
【図１２】
0003927743.tif 000013
【図１３】
0003927743.tif 000014
【図１４】
0003927743.tif 000015
【図１５】
0003927743.tif 000016
【図１６】
0003927743.tif 000017
【図１７】
0003927743.tif 000018
【図１８】
0003927743.tif 000019
【図１９】
0003927743.tif 000020